(57)【要約】【課題】  配置の始動動作状態の前に負荷を暖める。【解決手段】  本発明は、第１の回路配置Ｅであって、回路配置Ｅに接続可能な可変負荷に、第１の回路配置Ｅの第１の状態において、電圧源ＭＶからエネルギを供給するための第１の回路配置Ｅに関する。第１の回路配置Ｅは、第１の電圧源ＭＶおよび第３の接続部３との接続のための第１の接続部１および第２の接続部２と、第２の回路配置Ｚとの接続のための第４の接続部４と、第５の接続部５とを有し、第２の接続部２は、基準電位にある。第１の回路配置Ｅは、負荷Ｒ２；Ｒ３との接続のための第８の接続部８を有し、第１の状態と第２の状態とを切換える制御可能な切換手段１５，２０，３１，３３を有する。第１の状態においては、負荷Ｒ２，Ｒ３との接続のための第８の接続部８が第１および第３の接続部１，３と接続され、第５の接続部５は基準電位と接続される。第２の状態においては、第８の接続部８が第４の接続部と接続される。【選択図】      図１
2006114892.tif 000002
【特許請求の範囲】
【請求項１】
第１の回路配置（Ｅ）であって、回路配置（Ｅ）に接続可能な可変負荷に、第１の回路配置（Ｅ）の第１の状態において、電流または電圧源（ＭＶ）からエネルギを供給するための第１の回路配置（Ｅ）において、
第１の回路配置（Ｅ）は、第１の電流または電圧源（ＭＶ）と第３の接続部（３）との接続のための、第１の接続部（１）および第２の接続部（２）と、第２の電流または電圧源（Ｚ）との接続のための、少なくとも１つの第４の接続部（４）および少なくとも１つの第５の接続部（５）とを有し、
第２の接続部（２）は、基準電位にあり、
第１の回路配置（Ｅ）は、２つの負荷（Ｒ２；Ｒ３）との接続のための少なくとも１つの第８の接続部（８）を有し、
第１の回路配置（Ｅ）は、第１の状態と第２の状態との間の切換えのための制御可能な切換手段（１５，２０，３１，３３）を有し、
第１の状態においては、２つの負荷（Ｒ２，Ｒ３）との接続のための第８の接続部（８）が第１の接続部１および第３の接続部（３）と接続され、第５の接続部（５）は基準電位と接続され、
第２の状態においては、第８の接続部（８）が第４の接続部と接続されることを特徴とする、第１の回路配置。
【請求項２】
第１の回路配置の第２の状態において、特に第２の回路配置（Ｚ）の第２の電流または電圧源からエネルギを供給するための第１の回路配置（Ｅ）であって、
第１の回路配置（Ｅ）は、少なくとも１つの第８の接続部（８）に加えて、負荷（Ｒ１，Ｒ２，Ｒ３）との接続のために第９の接続部（９）を有し、
第１の状態および第２の状態において、第７の接続部（７）が直接第３の接続部（３）と接続されることを特徴とする、請求項１に記載の第１の回路配置。
【請求項３】
第１の状態において、制御可能な切換手段は、第７の接続部（７）と第９の接続部（９）とを基準電位に接続することを特徴とする、請求項２に記載の第１の回路配置。
【請求項４】
第９の接続部（９）はそれぞれ、第５の接続部（５）と接続されることを特徴とする、請求項２または３に記載の第１の回路配置。
【請求項５】
制御可能な切換手段（１５，２０，３１，３２）は第２の状態において、第８の接続部（８）のそれぞれを、第４の接続部（４）と接続することを特徴とする、請求項１〜４のいずれか１項に記載の第１の回路配置。
【請求項６】
第１の回路配置（Ｅ）は、第６の接続部（６）と第１０の接続部（１０）とを有することを特徴とする、請求項１〜５のいずれか１項に記載の第１の回路配置。
【請求項７】
第６の接続部（６）と第１０の接続部（１０）とは、直接互いに接続されることを特徴とする、請求項６に記載の第１の回路配置。
【請求項８】
第１の状態において、切換手段（１５，２０，３１，３２）は、第１０の接続部（１０）を基準電位と接続することを特徴とする、請求項６または７に記載の第１の回路配置。
【請求項９】
負荷（Ｒ１，Ｒ２，Ｒ３）は、第７の接続部（７）と第８の接続部（８）の１つとの間、第８の接続部（８）の１つと第９の接続部（９）の１つとの間、および、第９の接続部（９）の１つと、場合によっては第１０の接続部の切換えによる、基準電位との間で接続可能であることを特徴とする、請求項１〜８のいずれか１項に記載の第１の回路配置。
【請求項１０】
可変負荷（Ｒ１，Ｒ２，Ｒ３）にエネルギを供給するための配置であって、
負荷（Ｒ１，Ｒ２，Ｒ３）が接続される、請求項１〜９のいずれか１項に記載の第１の回路配置（Ｅ）と、
第２の電流または電圧源としての第２の回路配置（Ｚ）とからなり、
少なくとも３つの状態において運転可能であり、
すなわち、３つの状態とは、
第１の始動動作状態であって、第１の回路配置が第１の状態にあり、負荷（Ｒ１，Ｒ２，Ｒ３）が第１の電流または電圧源からエネルギ供給を受ける第１の始動動作状態と、
第２の始動動作状態であって、第１の回路配置（Ｅ）が第２の状態にあり、負荷（Ｒ１，Ｒ２，Ｒ３）が互いに並列に第２の回路配置（Ｚ）からエネルギ供給を受ける第２の始動動作状態と、
連続運転状態であって、第１の回路配置（Ｅ）が第２の状態にあり、負荷（Ｒ１，Ｒ２，Ｒ３）が直列に第２の回路配置（Ｚ）からエネルギ供給を受ける連続運転状態とであって、
第１の始動動作状態と第２の始動動作状態との間は、第１の回路配置の切換手段（１５，２０，３１，３２）を介して、および第２の始動動作状態と連続運転状態との間は、第２の回路配置（Ｚ）の切換手段（４１，４２，４３，５０）を介して切換え可能であることを特徴とする配置。
【請求項１１】
第２の回路配置（Ｚ）は、回路配置の第２の始動動作状態において、等価の電気エネルギを負荷（Ｒ１，Ｒ２，Ｒ３）に供給することを保証するための手段（９１，９２，９３）を有することを特徴とする、請求項１０に記載の配置。
【請求項１２】
第２の回路配置（Ｚ）は、出力側接続部（８５，８６，８７）を有し、第１の回路配置（Ｅ）は、第２の回路配置と第３、第４および第５の接続部（３，４，５）で接続されることを特徴とする、請求項１０または１１記載の配置。
【請求項１３】
連続運転状態において、出力側接続部（１０５）とそれに接続する第３の接続部（３）との間、および第１の回路配置の第７の接続部（７）と基準電位との間で、第１の電圧は降下し、第２の回路配置の残りの接続部（８６，８７）とこれに接続する第４および第８の接続部（４，８）または第５および第９の接続部（５，９）は、配置が無負荷運転であるとき無電位であることを特徴とする、請求項１０〜１２のいずれか１項に記載の配置。
【請求項１４】
無負荷にある第２の始動動作状態において、第２の回路配置（Ｚ）の第１の出力側接続部（８５）と、一方では、第２の回路配置の第２の出力側接続部（８６，８７）の半分（８７）との間、および他方では第２の基準電位との間において、第１の電圧が降下し、第２の回路配置（Ｚ）の第２の出力側接続部（８６，８７）の残りの半分（８６）は、第２の基準電位と同じ電位を有することを特徴とする、請求項１２または１３に記載の配置。
【請求項１５】
第２の回路配置が、最後の出力側接続部（１０５）を有し、出力側接続部（１０５）は第２の基準電位にあることを特徴とする、請求項１０〜１４のいずれか１項に記載の配置。
【請求項１６】
保証手段がコイル（９１，９２，９３）を有することを特徴とする、請求項１１〜１５のいずれか１項に記載の配置。
【発明の詳細な説明】
【技術分野】
【０００１】
本発明は、第１の回路配置に関し、第１の回路配置に接続可能な可変負荷を設けるための第１の回路配置、および第１の回路配置と第２の回路配置とからなる可変負荷を設けるための配置に関する。
【背景技術】
【０００２】
特許文献１から、奇数個の並列または直列に接続された負荷へ電気エネルギを供給するための配置が知られている。この配置は、２つの異なる動作状態で動作させることが可能である。始動動作状態においては、この配置に接続された負荷は並列につながれて動作し、連続運転状態においては負荷は直列につながれて、電気エネルギが供給される。このような配置はたとえば、沈積プロセス用の電気化学装置を運転するために利用することができる。電気化学沈積プロセスの間、負荷の抵抗値は、負荷に堆積する沈積材料（ケイ素）を介して変動する。それによって、負荷の抵抗は低下し、したがって負荷の電力が一定の場合、電流は上昇し、反対に電圧は低下する。電流が、一定の値に上昇すると、アレイは連続動作状態に切替わり、負荷は直列に動作する。負荷の直列接続によって、アレイの接続部により高い抵抗が生じる。したがって、同じ出力で、よりわずかの電流が可能になる。
【０００３】
【特許文献１】独国実用新案第２０３１８０６１号明細書
【発明の開示】
【発明が解決しようとする課題】
【０００４】
総じて、当該明細書に公開された配置は有用であることが明らかにされた。しかしながら、これによって、始動動作状態において電気化学的沈積プロセスを始動することが可能な負荷が、一定の温度を有していなければならないことが示された。これまで負荷は、始動動作状態のために、それを必要な温度にもたらすために、これまでは熱線または他の補助手段によって予熱されてきた。このような負荷の予熱は汚染の危険性があるために好ましくはない。
【０００５】
ここに本発明は向けられている。
【０００６】
本発明は、第１の回路配置および第１の回路配置を有する配置であって、技術水準から知られる配置の始動動作状態の前に、この配置に接続される負荷を暖めることが可能である配置を提供することを課題とする。
【課題を解決するための手段】
【０００７】
この課題を解決するために、請求項１に従う第１の回路配置が提供される。この第１の回路配置の具体化およびさらなる態様は、請求項２〜９に挙げられている。この課題はさらに、請求項１０に挙げられた、このような第１の回路配置を有する配置によって解決される。この配置の具体化および好適な実施の形態はこれに従属する請求項に挙げられている。本発明に従った解決手段に従えば、以下において第２の始動動作状態として記載される、これまでの始動動作状態に、第１の始動動作状態が加えられる。
【０００８】
本発明に従った配置である請求項１０は、本発明に従えば、第１の回路配置および第２の回路配置を有し、第２の回路配置は第２の電流または電圧源として機能する。
【０００９】
この配置は、３つの状態において動作可能である。すなわち、第１の始動動作状態において、第１の回路配置は第１の状態にあり、負荷が第１の電流または電圧源から電流または電圧の供給を受けることが可能である。さらに、当該配置は、第１の回路配置が第２の状態にあり、負荷は互いに並列に、第２の回路配置から電流供給を受けることが可能な、第２の始動状態において運転される。当該配置を運転することが可能な第３の状態は、第１の回路配置が同様に第２の状態にあり、負荷には直列に第２の回路配置から電流供給が可能である、連続運転状態である。加えて、第２の回路配置は第２の状態にされる。第１の始動動作状態と第２の始動動作状態との間は、第１の回路配置の切換手段によって、および第２の始動動作状態と連続運転状態との間は、第２の回路配置の切換手段によって切換えを行うことが可能である。
【００１０】
第２の回路配置として、要するに、前述の明細書から知られる回路配置を利用することが可能である。
【００１１】
第１の回路配置は請求項１〜９の対象である。
かかる第１の回路配置は、負荷または少なくとも負荷の一部が、第１の回路配置に接続可能であるように構成される。負荷は、第１の回路配置の第１の状態において、第１の電流または電圧源から電流または電圧の供給を受けることが可能である。第１の回路配置は、第１の電流または電圧源との結合のために第１の接続部と第２接続部とを有し、第２の電流または電圧源との結合のために第３の接続部と、少なくとも１つの第４の接続部と、少なくとも１つの第５の接続部とを有している。第２の接続部は、基準電位にある。第１の回路配置は、少なくとも２つの負荷との結合のために、さらに少なくとも１つの接続部を有し、これは、以下においては、第８の接続部として記載する。
【００１２】
第１の回路配置は、第１の状態と第２の状態との間の切換のために、制御可能な切換手段をさらに有する。第１の状態において、制御可能な切換手段の１つを介して２つの負荷と接続するための第８の接続部は、第１の接続部と接続され、第３の接続部と第５の接続部は、制御可能な切換手段のそれぞれを介して、基準電位と接続される。第２の状態において、第８の接続部は、さらにまた別の制御可能な切換手段を介して、第４の接続部と接続される。
【００１３】
本発明に従った第１の回路配置は、第２の状態において大きな電流が流れる回路では、切換手段は利用されない構成とされる。むしろ、切換手段は、第１の回路配置の第２の状態において、すなわち、配置が第２の始動動作状態または連続運転状態において、電流がまったく流れない、または比較的小さい電流しか流れない回路においてのみ設けられる。
【００１４】
かかる第１の回路配置は、すべての負荷が第１の回路配置に接続可能であって、これらの負荷には、第２の電流および電圧源から、ここでは特に第２の回路配置のこととすることが可能であるが、これらから、第１の回路配置の第２の状態において、第１の回路配置を介して電流または電圧が供給されるように構成することが可能である。第１の回路配置は、第８の接続部のほかに、負荷との接続のために、第７の接続部と、少なくとも１つの第９の接続部とを有している。
【００１５】
第７の接続部は、第１の状態と第２の状態とにおいては、第３の接続部と直接接続される。すなわち、第７の接続部と第３の接続部との間の接続においては、切換手段は設けられない。第９の接続部はそれぞれ、第５の接続部と接続することが可能である。 
【００１６】
制御可能な切換手段は、好ましくは、第１の回路配置の第１の状態において、負荷が接続される第７の接続部と第９の各接続部とを基準電位と接続し、負荷が接続可能である第８の各接続部を、第１の電流または電圧源が接続可能である第１の接続部に接続する。
【００１７】
第１の回路配置の制御可能な切換手段は、第１の回路配置の第２の状態において、第８の接続部を第４の接続部のそれぞれに接続することが可能である。
【００１８】
第１の回路配置は、好ましくは、第６の接続部と第１０の接続部とを有してもよい。第６の接続部と第１０の接続部とは、直接、すなわち、可能であれば、切換手段または他の構成要素による中間切換を介さずに、互いに接続可能である。本発明に従った第１の回路配置の切換手段は、第１の回路配置の第１の状態においては、第１０の接続部を、第１の基準電位に対応する第２の基準電位と接続することが可能である。
【００１９】
本発明に従った第１の回路配置においては、負荷は、第７の接続部と第８の接続部の１つとの間に、第８の接続部の１つと第９の接続部の１つとの間に、および第９の接続部の１つと、場合によっては第１０の接続部の中間切換を介して、第２の基準電位との間に接続可能である。この場合、すべての負荷が、第７の接続部と、場合によっては第１０の接続部の中間切換を介して、第２の基準電位との間で直列に接続可能である。
【００２０】
本発明に従った第１の回路配置の切換手段は、プログラム可能な制御手段を介して制御可能である。
【００２１】
本発明に従った第１の回路配置と第２の回路配置とからなる配置の第２の回路配置は、この配置の第２の始動動作状態において等価の電気エネルギを負荷に供給することを保証するための手段を有することが可能である。
【００２２】
連続運転状態においては、第１の回路配置の第３の接続部と接続される、第２の回路配置の第１の出力側接続部と、第２の基準電位との間で、第１の電圧が降下し、一方、全配置が無負荷運転であるとき、第２の回路配置の第２の出力側接続部は無電位である。
【００２３】
当該配置の第２の始動動作状態において、無負荷運転において、すなわち、接続される負荷がないとき、第１の回路配置の第１の出力側接続部と、第２の出力側接続部の半分および第２の基準電位との間で、第１の電圧が降下し、一方、第２の回路配置の第２の出力側接続部の残り半分は、第２の基準電位を有する。
【００２４】
第２の回路配置は、最後の出力側接続部を有することが可能であり、この接続部は、第２の基準電位上にあり、好ましくは、第１の回路配置の第６接続部と接続される。
第２の回路配置を保証するための手段はコイルを有することが可能である。
【００２５】
さらに詳しくは、本発明は、第１の回路配置であって、回路配置に接続可能な可変負荷に、第１の回路配置の第１の状態において、電流または電圧源からエネルギを供給するための第１の回路配置において、
第１の回路配置は、第１の電流または電圧源と第３の接続部との接続のための、第１の接続部および第２の接続部と、第２の電流または電圧源との接続のための、少なくとも１つの第４の接続部および少なくとも１つの第５の接続部とを有し、
第２の接続部は、基準電位にあり、
第１の回路配置は、２つの負荷との接続のための少なくとも１つの第８の接続部を有し、
第１の回路配置は、第１の状態と第２の状態との間の切換えのための制御可能な切換手段を有し、
第１の状態においては、２つの負荷との接続のための第８の接続部が第１の接続部１および第３の接続部と接続され、第５の接続部は基準電位と接続され、
第２の状態においては、第８の接続部が第４の接続部と接続されることを特徴とする、第１の回路配置である。
【００２６】
本発明において、第１の回路配置の第２の状態において、特に第２の回路配置の第２の電流または電圧源からエネルギを供給するための第１の回路配置であって、
第１の回路配置は、少なくとも１つの第８の接続部に加えて、負荷との接続のために第９の接続部を有し、
第１の状態および第２の状態において、第７の接続部が直接第３の接続部と接続されることを特徴とする。
【００２７】
本発明において、第１の状態において、制御可能な切換手段は、第７の接続部と第９の接続部とを基準電位に接続することを特徴とする。
【００２８】
本発明において、第９の接続部はそれぞれ、第５の接続部と接続されることを特徴とする。
【００２９】
本発明において、制御可能な切換手段は第２の状態において、第８の接続部のそれぞれを、第４の接続部と接続することを特徴とする。
【００３０】
本発明において、第１の回路配置は、第６の接続部と第１０の接続部とを有することを特徴とする。
【００３１】
本発明において、第６の接続部と第１０の接続部とは、直接互いに接続されることを特徴とする。
【００３２】
本発明において、第１の状態において、切換手段は、第１０の接続部を基準電位と接続することを特徴とする。
【００３３】
本発明において、負荷は、第７の接続部と第８の接続部の１つとの間、第８の接続部の１つと第９の接続部の１つとの間、および、第９の接続部の１つと、場合によっては第１０の接続部の切換えによる、基準電位との間で接続可能であることを特徴とする。
【００３４】
本発明は、可変負荷にエネルギを供給するための配置であって、
負荷が接続される、上述に記載の第１の回路配置と、
第２の電流または電圧源としての第２の回路配置とからなり、
少なくとも３つの状態において運転可能であり、
すなわち、３つの状態とは、
第１の始動動作状態であって、第１の回路配置が第１の状態にあり、負荷が第１の電流または電圧源からエネルギ供給を受ける第１の始動動作状態と、
第２の始動動作状態であって、第１の回路配置が第２の状態にあり、負荷が互いに並列に第２の回路配置からエネルギ供給を受ける第２の始動動作状態と、
連続運転状態であって、第１の回路配置が第２の状態にあり、負荷が直列に第２の回路配置からエネルギ供給を受ける連続運転状態とであって、
第１の始動動作状態と第２の始動動作状態との間は、第１の回路配置の切換手段を介して、および第２の始動動作状態と連続運転状態との間は、第２の回路配置の切換手段を介して切換え可能であることを特徴とする配置である。
【００３５】
本発明において、第２の回路配置は、回路配置の第２の始動動作状態において、等価の電気エネルギを負荷に供給することを保証するための手段を有することを特徴とする。
【００３６】
本発明において、第２の回路配置は、出力側接続部を有し、第１の回路配置は、第２の回路配置と第３、第４および第５の接続部で接続されることを特徴とする。
【００３７】
本発明において、連続運転状態において、出力側接続部とそれに接続する第３の接続部との間、および第１の回路配置の第７の接続部と基準電位との間で、第１の電圧は降下し、第２の回路配置の残りの接続部とこれに接続する第４および第８の接続部または第５および第９の接続部は、配置が無負荷運転であるとき無電位であることを特徴とする。
【００３８】
本発明において、無負荷にある第２の始動動作状態において、第２の回路配置の第１の出力側接続部と、一方では、第２の回路配置の第２の出力側接続部の半分との間、および他方では第２の基準電位との間において、第１の電圧が降下し、第２の回路配置の第２の出力側接続部の残りの半分は、第２の基準電位と同じ電位を有することを特徴とする。
【００３９】
本発明において、第２の回路配置が、最後の出力側接続部を有し、出力側接続部は第２の基準電位にあることを特徴とする。
本発明において、保証手段がコイルを有することを特徴とする。
【発明の効果】
【００４０】
本発明によれば、以上のような構成によって、配置の始動動作状態の前に、この配置に接続される負荷を暖めることができる。
【発明を実施するための最良の形態】
【００４１】
特許文献１から知られる、発明に従った第１の回路配置と第２の回路配置とを備える発明に従ったは配置を、添付の図を参照し、詳細に説明する。
【００４２】
図１に示した配置は、３つの負荷Ｒ１，Ｒ２，Ｒ３への電流電圧供給のために企図されたものであり、この配置において、第１の始動動作状態において、第１の始動動作状態においては、負荷Ｒ１，Ｒ２にのみ電圧を供給し、第２の始動動作状態においては、全負荷Ｒ１，Ｒ２，Ｒ３を互いに並列に運転し、連続運転状態においては、全負荷Ｒ１，Ｒ２，Ｒ３を直列に切り換えて運転することが可能である。第１の回路配置Ｅと第２の回路配置Ｚとからなる配置は、３ｋＶ〜２０ｋＶまでの電圧源である第１の電圧源ＭＶと、変圧器Ｔとによって、電気エネルギ供給が行われる。第１の始動動作状態において、発明に従った配置は、中間電圧源によって、すなわち、第１の電圧源ＭＶによって、電気エネルギが供給され、第２の始動動作状態および連続運転状態においては、この配置は変圧器Ｔによって電気エネルギが供給される。
【００４３】
変圧器Ｔは、一次側接続部１０６，１０７を有し、これらを介して、変圧器Ｔを供給網に接続することが可能である。変圧器Ｔの二次側は、外部タップと中間タップとを有し、中間タップが、変圧器Ｔの第１の出力側接続部１０１，１０２，１０３につながり、外部タップの１つも第１の出力側接続部１０４につながっている。他の外部タップは第２の出力側接続部１０５につながっている。
【００４４】
変圧器Ｔの第２の出力側接続部１０５は第２の基準電位にある。それに対して、変圧器Ｔの第１の出力側接続部１０１〜１０４はもっと高い電位にあり、したがって、第１の出力側接続部１０１，１０２，１０３，１０４と第２の出力側接続部１０５との間で、電圧が降下する。第１の出力側接続部１０１と第２の出力側接続部１０５との間で低下する電圧は、たとえば、２００Ｖ、第１の出力側接続部１０２と第２の出力側接続部１０５との間の電圧は、たとえば３００Ｖ、第１の出力側接続部１０３と第２の出力側接続部１０５との間の電圧は、たとえば５５０Ｖ、第１の出力側接続部１０４と第２の出力側出力接続部１０５との間の電圧は、たとえば１０００Ｖに達することが可能である。変圧器Ｔの入力電圧は、任意であって、使用される中間電圧網に適したものにすることが望ましい。
【００４５】
第２の回路配置Ｚは、第１の入力側接続部８１，８２，８３，８４を有している。これらの第１の入力側接続部８１，８２，８３，８４は、変圧器Ｔの第１の出力側接続部１０１，１０２，１０３，１０４と接続され，したがって、変圧器Ｔの第２の出力側接続部１０５と比べて、変圧器Ｔのこれら第１出力側接続部にて降下する電圧が、第２の回路配置の第１の入力側接続部８１，８２，８３，８４の電圧である。
【００４６】
接続部８９を介して、第２の回路配置Ｚは、変圧器Ｔの第２の出力側接続部１０５と接続され、したがって、第２の回路配置Ｚにおいて、第２の基準電位も利用可能である。第１の入力側接続部８１，８２，８３，８４によって、以下の、第３の制御可能な切換手段として記載される切換手段６１〜６４に、電流変換器および安全器を介して回路がつながっている。これらの第３の制御可能な切換手段６１〜６４は、図１に示すように、トライアックであることが可能である。第３の制御可能な切換手段６１〜６４の内の第１群の第２の接続部６２，６３，６４は、互いに連結され、したがって同じ電位にある。残りの第３の制御可能な切換手段６１の第２の接続部は、第２の制御可能な切換手段５０を介して、第３の制御可能な切換手段６１〜６４の第１群の第２の接続部６２，６３，６４と接続される。残りの第３の制御可能な切換手段６１の第２の接続部は、直接、第２の回路配置Ｚの第１の出力側接続部８５とも接続されている。
【００４７】
第１の出力側接続部８５と同様、第２の回路配置Ｚも第２の出力側接続部８６，８７を有している。これら第２の出力側接続部８６，８７の半分、すなわち出力側接続部８７が、コイル９１と第１の制御可能な切換手段４１とを介して、第２の回路配置Ｚの第３の制御可能な切換手段６２，６３，６４の第１群の第２の接続部と接続されている。他方、出力側接続部８７は、コイル９３と第１の切換手段４３とを介して、第３の切換手段６１の第２の接続部と第１の出力側接続部８５とに接続されている。
【００４８】
これに対して、出力側接続部８６，８７の残りの半分、すなわち、出力側接続部８６は、コイル９２と第１の切換手段４２とを介して、接続部８９に、すなわち、第２の基準電位に接続されている。第１の切換手段４１，４２，４３は制御可能な切換手段であって、同時に開閉される。第２の回路配置Ｚの第１の切換手段４１，４２，４３は、さらに、第２の切換手段５０が閉となり反転すると、常に開となるように制御される。
【００４９】
コイル９１，９２，９３は共通のコアに設けられており、したがって、これらは、同じ磁気電流を有する。図において右に示されたコイル９１，９３は、左に図示されたコイル９１の巻線の巻き方向に対して反対方向の巻きとする。コイル９１，９２，９３は、当該配置の第２の始動動作状態において、同じ大きさの電気エネルギを負荷に供給することを保証するための手段を形成する。当該配置のこの第２の始動動作状態において、第２の回路配置Ｚの第１の切換手段４１，４２，４３は、閉となるように制御され、第２の回路配置Ｚの第２の切換手段５０は、開となるように制御される。
【００５０】
それに対して、負荷Ｒ１，Ｒ２，Ｒ３が直列に運転される、当該配置の連続運転状態において、第２の回路配置Ｚの第２の切換手段５０は、閉となるように制御され、第２の回路配置Ｚの第１の切換手段４１，４２，４３は開にされる。
【００５１】
第２の始動動作状態と連続運転状態との間の切換えは、第２の回路配置Ｚを介して行われる。それに対して、第１の始動動作状態と第２の始動動作状態との間の切換えは、第１の回路配置Ｅを介して行われる。
【００５２】
第１の回路配置Ｅは、第１の接続部１と、好ましくは、第２の接続部２とを有し、これらを介して、第１の電圧源ＭＶが、第１の回路配置に接続されている。第２の接続部２は、その場合、第１の接続部１よりも低い電位を有し、第２の接続部２は、第１の回路配置Ｅの第１１の接続部１１を介して第１の基準電位と接続されている。
【００５３】
第１の回路配置Ｅは、さらにまた、第３の接続部３、第４の接続部４、第５の接続部５、第６の接続部６を有している。これらの接続部は、第２の回路配置Ｚの出力側接続部８５，８６，８７，８８と接続されている。この場合、第１の回路配置Ｅの第３の接続部３は、第２の回路配置Ｚの出力側接続部８５と接続され、第４の接続部４は出力側接続部８６と、第５の接続部５は出力側接続部８７と、第６の接続部６は出力側接続部８８と接続されている。
【００５４】
第１の回路配置Ｅの内部には、前述の各接続部が、さらなる接続部、すなわち接続部７、接続部８、接続部９、および接続部１０と接続されている。この場合、第１の回路配置Ｅの第７の接続部７は第２の接続部２と、第８の接続部８は第４の接続部４と、第９の接続部９は第５の接続部５と、第１０の接続部１０は第６の接続部６と接続される。この場合、第８の接続部８と第４の第４の接続部４との間の接続は切り換えられ、残りの接続部３，７；５，９；６，１０が直接互いに接続されている。
【００５５】
実施の形態として図示されていないが、第７の接続部７、第９の接続部９および第１０の接続部１０はなくてもよい。
【００５６】
第１の回路配置Ｅの第１の接続部１は第１の回路配置Ｅの第１の切換手段１５を介して、第８の接続部８と接続される。第８の接続部８は、第２の回路配置Ｚの第２の切換手段２０を介して、第４の接続部４と接続される。したがって、第８の接続部８と第４の接続部４との間の接続は、前述したように、切り換えられる。
【００５７】
第１の切換手段１５と第２の切換手段２０とに加えて、第１の回路配置Ｅは、第３の切換手段３１〜３４を有している。これらは、閉状態において、第３の接続部３、第４の接続部４、第５の接続部５、および第６の接続部６を、第１１の接続部に接続する第１の基準電位と接続する。加えて、第３の切換手段３１〜３４は接続部３〜６を、第１の電圧源ＭＶが接続される第２の接続部２と接続する。
【００５８】
第１の切換手段１５、第２の切換手段２０、および第３の切換手段３１〜３４を介して、回路配置Ｅの第１の状態と第２の状態との間での切換えが可能である。回路配置Ｅの第１の状態と第２の状態との間の切換は、全体を図１に図示した配置の第１の始動動作状態から第２の運転状態への切換えに対応する。
【００５９】
本発明に従った配置の第１の始動動作状態において、図１に示したように、第１の切換手段１５と第３の切換手段３１〜３４は閉状態である。第２の切換手段２０は開状態である。
【００６０】
本発明に従った回路配置Ｅにおいて、負荷Ｒ１，Ｒ２，Ｒ３は接続され、負荷Ｒ３は、第７および第８の接続部７，８に隣接し、負荷Ｒ２は、第８および第９の接続部８，９に、負荷Ｒ１は第９および第１０の接続部９，１０に隣接する。したがって、負荷Ｒ１，Ｒ２，Ｒ３は、第７の接続部７と第１０の接続部１０との間で直列に切換えられる。
【００６１】
前述した、図示されていない別の実施の形態においては、負荷Ｒ１，Ｒ２，Ｒ３は、ここでは省かれている第７の接続部７、第９の接続部９または第１０の接続部１０の代わりに、対応する出力側接続部８５，８７または第２の基準電位と直接接続される。連続運転状態においては、第１の回路配置にはこれらの負荷に供給するための電流は流れない。
【００６２】
第１の始動動作状態において、図示された配置において（および図示されない配置においても）右側の両負荷Ｒ２，Ｒ３は、第１の電圧源ＭＶから電気エネルギの供給を受ける。この第１の始動動作状態において、第１の接続部１を介して、電流が閉じた第１の切換手段１５を介し接続部８に流れる。接続部８から、電流はさらに負荷Ｒ３を介して、第７の接続部７に、および負荷Ｒ２を介して第９の接続部９に流れる。第７の接続部７または第９の接続部９から、電流は、閉じた第３の切換手段３１または３３を介して、第２の接続部２に流れ、第１の電圧源ＭＶにもどる。したがって、第１の始動動作状態において、負荷Ｒ３，Ｒ２だけに電気エネルギの供給がなされる。これによってこれらの負荷は暖められる。その場合に放射される熱は、負荷Ｒ１を運転温度にするに充分なものである。したがって、負荷Ｒ１は、第１の始動動作状態にある間、運転温度に到達させるために電流を流すことを要しない。
【００６３】
配置が、第１の始動動作状態から第２の始動動作状態に変えられると、第１の回路配置Ｅの切換手段１５，２０，３１〜３４は、その位置を変える。すなわち、第１の切換手段１５は開となり、第３の切換手段３１〜４も開となる。それに対して、第２の切換手段２０は閉となる。第２の始動動作状態において、また、連続運転状態においても、第３の接続部３と第７の接続部７との間、第４の接続部４と第８の接続部８との間、第５の接続部５と第９の接続部９との間、第６の接続部６と第１０の接続部１０との間の分岐のない接続がある。始動動作状態から連続運転状態への転換は、第１の回路配置における切換手段１５，２０，３１〜３４の位置をもはや変えるものではないので、第２の始動動作状態と連続運転状態の間の切換えは、もっぱら、第２の回路配置Ｚの切換手段４１，４２，４３，５０および６１，６２，６３，６４を介して行われる。
【００６４】
当該配置の第２の始動動作状態において、負荷Ｒ１，Ｒ２，Ｒ３は、互いに並列に運転される。第３の切換手段６１〜６４は、負荷Ｒ１，Ｒ２，Ｒ３の電圧供給が、第３の切換手段６１〜６４の第１の群の第３の切換手段６２，６３，６４を介して行われるように制御される。当該配置の第２の始動動作状態において、電流は、図１の左に示された、第１の切換手段４１および左に示されたコイル９１を介して流れ、コイル９１は、負荷Ｒ１，Ｒ２，Ｒ３を流れるそれぞれ相等しい電流ＩＬ１，ＩＬ２，ＩＬ３の１つの３倍に相当する値を有する。コイルを通過した電流はそのあと、分岐する。
【００６５】
第１の成分、すなわち、負荷電流ＩＬ３は、図１の右に示されたコイル９３、図の右に示された切換手段４３、第２の回路配置の第１の出力側接続部８５、第１の回路配置Ｅの第３の接続部３、第１の回路配置Ｅの第７の接続部７を介して、第７の接続部７に接続される負荷Ｒ３へと流れる。次に、負荷電流ＩＬ３は、負荷Ｒ３から、第８の接続部８、第２の切換手段２０、第１の回路配置Ｅの第４の接続部４、第２の回路配置２の出力側接続部８６を介して、図１中央に示すコイル９２に流れ、ついで第１の制御可能な切換手段４２を介して第２の回路配置Ｚの基準電位にある接続部８９に、さらに、変圧器Ｔの２次側の第２の出力側接続部１０５に流れる。
【００６６】
図１の左の示されたコイル９１を通過して流れる電流の第２の成分、すなわち電流ＩＬ２は、第２の出力側接続部８７、第１の回路配置Ｅの第５の接続部、第１の回路配置Ｅの第９の接続部９を介して、負荷Ｒ２に流れる。そこから、次に、負荷電流ＩＬ２は、負荷電流ＩＬ３と共に、第８の接続部８、閉じた第２の切換手段２０、第４の接続部４、第２の出力側接続部８６、コイル９２、第２の回路配置Ｚの閉じた第１の切換手段を介して、第２の回路配置Ｚの接続部８９に流れる。
【００６７】
図１の左に示されたコイル９１を通過する全電流の第３の成分および最後の成分は、第２の回路配置Ｚの第２の出力側接続部８７、第１の回路配置Ｅの第５の接続部５、第１の回路配置Ｅの第９の接続部９を介して、負荷Ｒ１に流れる。この場合最後の電流ＩＬ１が問題であり、これは、負荷Ｒ１から第１０の接続部１０および第１の回路配置Ｅの第６の接続部６を介して、変圧器Ｔの２次側にある第２の出力側接続部１０５へと流れる。
【図面の簡単な説明】
【００６８】
【図１】接続される３つの負荷と接続される第１の電圧源とを有する発明に従った配置を示す電気回路図である。
【符号の説明】
【００６９】
１  第１の接続部
２  第２の接続部
３  第３の接続部
４  第４の接続部
５  第５の接続部
６  第６の接続部
７  第７の接続部
８  第８の接続部
９  第９の接続部
１０  第１０の接続部
１１  第１１の接続部
１５  第１の切換手段
２０  第２の切換手段
３１，３２，３３，３４  第３の切換手段
４１，４２，４３  第１の制御可能な切換手段
５０  第２の制御可能な切換手段
６１，６２，６３，６４  第３の制御可能な切換手段
８１，８２，８３，８４  第１の入力側接続部
８５  第１の出力側接続部
８６，８７，８８  第２の出力側接続部
８９  接続部
９１，９２，９３  コイル
１０１，１０２，１０３，１０４  第１の出力側接続部
１０５  第２の出力側接続部
１０６，１０７  一次側接続部
Ｅ  第１の回路配置
Ｚ  第２の回路配置
ＭＶ  第１の電圧源
Ｔ  変圧器
【図１】
2006114892.tif 000003